(57)【特許請求の範囲】
【請求項１】
案内装置の無限循環路に配列・収容された複数のローラー間に配置し、該ローラーを整列状態にかつ回転可能に保持する複数のスペーサを具備する案内装置用ローラーリテーナにおいて、
前記複数のスペーサはスペーサとスペーサの間に前記ローラーが介在する所定の間隔で両端部が連結部材で連結され、前記各スペーサは該連結部材を挟んで両側対称に構成されており、
前記スペーサの前記ローラーに対向する面は前記ローラー表面と略同曲率の円弧面であり、
前記スペーサ前後のローラーに摺接する両面の略中央位置と、前記スペーサの前記ローラーに摺接しない上面及び下面の略中央位置の全てに、凹溝状の潤滑剤溜りを設けてこれら各潤滑剤溜りを互いに連通させたことを特徴とする案内装置用ローラーリテーナ。
【請求項２】
請求項１に記載の案内装置用ローラーリテーナにおいて、
前記スペーサのローラーと摺接する両面及び摺接しない上下面に設けられた潤滑剤溜りの幅は一定であることを特徴とする案内装置用ローラーリテーナ。
【請求項３】
請求項１又は２に記載の案内装置用ローラーリテーナにおいて、
前記スペーサ及び連結部材は合成樹脂の一体成形品であることを特徴とする案内装置用ローラーリテーナ。
【請求項４】
ローラーが転動する転走面が形成された軌道軸と、該軌道軸の転走面に対応してローラーが転動する負荷転走面と該負荷転走面とでローラーが無限循環する無限循環路を構成する無負荷転走路が形成されたスライド部材を具備する案内装置において、
前記無限循環路に配列・収容された複数のローラーの間に位置し該ローラーを整列状態にかつ転動可能に保持する複数のスペーサを具備するローラーリテーナに請求項１又は２又は３に記載の案内装置用ローラーリテーナを用いることを特徴とする案内装置。
【発明の詳細な説明】
【技術分野】
【０００１】
本発明は、案内装置の無限循環路に配列・収容された複数のローラーを整列・保持するローラーリテーナ及び該ローラーリテーナを用いた案内装置に関し、特に潤滑剤の保持機能を向上させた案内装置用ローラーリテーナ及びこれを用いた案内装置に関するものである。
【背景技術】
【０００２】
この種の案内装置としては、ボールリテーナを用いた案内装置とローラーリテーナを用いた案内装置がある。図８及び図９は、ローラーリテーナを用いた直線案内装置の構成例を示す図である。該直線案内装置は、軌道軸（軌道レール）１０、スライド部材（摺動台）２０、蓋体３０、３０及びローラーリテーナ４０及び複数個のローラー５０より構成されている。
【０００３】
軌道軸１０は、長手方向に沿ってローラー５０が転動する転走面１１が設けられ、図示しない固定部に取付穴１２を介してボルト等により取り付けられている。
【０００４】
スライド部材２０は、上記軌道軸１０の転走面１１に対応した負荷転走面２１が設けられ、該負荷転走面２１の一端から他端に再びローラー５０を循環させる無負荷転走路２２が設けられ、ローラーリテーナ４０を保持するローラーリテーナ保持部材２３、２４が設けられている。該ローラーリテーナ保持部材２３内に上記無負荷転走路２２は構成されている。なお、２５は、スライド部材２０の下方側面からの異物、水分などの侵入を防ぎ、かつローラーリテーナ４０に装填された潤滑油等の潤滑剤及び供給される潤滑油等の潤滑剤が外部に漏れないようにするためのサイドシールであり、２６はスライド部材２０上部にテーブル等の可動体を取り付ける場合の取付穴である。
【０００５】
蓋体３０は、図１０に示すように、潤滑剤補給口３１、方向転換路３２、及び潤滑経路より構成され、スライド部材２０の両端面に取り付けられている。負荷転走面２１を転走したローラー５０又は無負荷転走路２２を転走したローラー５０は、蓋体３０の方向転換路３２により、それぞれ無負荷転走路２２又は負荷転走面２１を転走し循環する。即ち、負荷転走面２１、方向転換路３２及び無負荷転走路２２によりローラー５０の無限循環路が形成されている。また、グリース等の潤滑剤は、蓋体３０の潤滑剤補給口３１より潤滑経路３３を通り、方向転換路３２内に供給された後、ローラー５０に付着して無限循環路全体に供給される。なお、３４は、上記軌道軸１０上面及び側面に付着した異物、水分などがスライド部材２０内に侵入するのを防ぎ、かつ供給される潤滑剤が外部に漏れないようにするためのエンドシールである。
【０００６】
ローラーリテーナ４０は、図１１に示すように、複数個の円柱状のローラー５０を整列状態にかつ転動可能に保持する複数個のスペーサ（間座）４１により構成されている。各スペーサ４１は、連結部４２により相互に連結された状態であり、該スペーサ４１、４１の間にローラー５０が転動可能に挿入されている。なお、スペーサ４１及び連結部４２は、合成樹脂材等の成形品であり、無限循環路内を自在に移動できるようになっている。また、連結部４２は、スライド部材２  ０のローラーリテーナ保持部材２３、２４内に設けられた案内溝２７を移動する。
【０００７】
上記直線案内装置は、ローラー５０が軌道軸１０の転走面１１とスライド部材２０の負荷転走面２１との間で荷重を負荷しながら転走し、該負荷転走面２１を転走した後負荷から開放されたローラー５０は、蓋体３０の方向転換路３２、無負荷転走路２２及び方向転換路３２を転走して再び転走面１１及び負荷転走面２１との間を転走することにより、即ち無限循環路を無限循環することにより、該スライド部材２０が軌道軸１０に沿って連続的に直線運動する。このとき、蓋体３０の潤滑剤補給口３１より無限循環路内に適宜潤滑剤が供給される。
【０００８】
ローラーリテーナ４０に装填された潤滑剤は、スペーサ４１のローラー５０が摺接する面に保持され、長期にわたり潤滑を維持することができ、潤滑剤の供給及びメンテナンスの頻度が軽減されている。しかし、ローラー５０の回転方向は、ボールリテーナのボールが多方向に回転（スピン）可能であるのに対し、中心軸に対して常に一定であるため、ボールと比較して潤滑剤切れを起こしやすいという問題があった。また、ローラー５０とスペーサ４１が摺接する面の隙間の大きさは、該ローラー５０のがたつき等を防止する必要性から数十μｍ程度が限界である。従って、さらに潤滑剤の保持機能を向上させるために摺接面の隙間を大きくすることはローラー５０のがたつき等の防止の観点から問題もある。
【発明の概要】
【発明が解決しようとする課題】
【０００９】
本発明は上述の点に鑑みてなされたもので、各スペーサに長期にわたり潤滑剤を保持できる案内装置用ローラーリテーナ及びこれを用いた案内装置を提供することを目的とする。
【課題を解決するための手段】
【００１０】
上記の課題を解決するために本願発明は、案内装置の無限循環路に配列・収容された複数のローラー間に配置し、該ローラーを整列状態にかつ回転可能に保持する複数のスペーサを具備する案内装置用ローラーリテーナにおいて、前記複数のスペーサはスペーサとスペーサの間に前記ローラーが介在する所定の間隔で両端部が連結部材で連結され、前記各スペーサは該連結部材を挟んで両側対称に構成されており、前記スペーサの前記ローラーに対向する面は前記ローラー表面と略同曲率の円弧面であり、前記スペーサ前後のローラーに摺接する両面の略中央位置と、前記スペーサの前記ローラーに摺接しない上面及び下面の略中央位置の全てに、凹溝状の潤滑剤溜りを設けてこれら各潤滑剤溜りを互いに連通させたことを特徴とする。
また本発明は、上記案内装置用ローラーリテーナにおいて、前記スペーサのローラーと摺接する両面及び摺接しない上下面に設けられた潤滑剤溜りの幅は一定であることを特徴とする。
【００１１】
また、本願発明は、上記案内装置用ローラーリテーナにおいて、前記スペーサ及び連結部材は合成樹脂の一体成形品であることを特徴とする。
【００１２】
また、本願発明は、ローラーが転動する転走面が形成された軌道軸と、該軌道軸の転走面に対応してローラーが転動する負荷転走面と該負荷転走面とでローラーが無限循環する無限循環路を構成する無負荷転走路が形成されたスライド部材を具備する案内装置において、前記無限循環路に配列・収容された複数のローラーの間に位置し該ローラーを整列状態にかつ転動可能に保持する複数のスペーサを具備するローラーリテーナに上記案内装置用ローラーリテーナのいずれかを用いることを特徴とする。
【発明の効果】
【００１３】
本願発明によれば、複数のスペーサはスペーサとスペーサの間にローラーが介在する所定の間隔で両端部が連結部材で連結され、各スペーサは該連結部材を挟んで両側対称に構成されており、スペーサのローラーに対向する面はローラー表面と略同曲率の円弧面であり、スペーサ前後のローラーに摺接する両面の略中央位置と、スペーサのローラーに摺接しない上面及び下面の略中央位置の全てに、凹溝状の潤滑剤溜りを設けてこれら各潤滑剤溜りを互いに連通させたので、スペーサとスペーサの間隔が一定となり、潤滑剤溜り内に潤滑剤を保持した状態で案内装置の無限循環路内を循環でき、潤滑剤溜りからローラーとスペーサの間の微小で均一間隙に長期間に亘って効果的に潤滑剤を供給できるから、潤滑剤の供給及びメンテナンスを更に軽減できる。
【００１４】
また、本願発明によれば、案内装置のローラーリテーナに上記本願発明に係る案内装置用ローラーリテーナを用いることにより、ローラーリテーナが長期にわたり潤滑剤を保持することができるため、案内装置の潤滑剤の供給及びメンテナンスを軽減できる。
【図面の簡単な説明】
【００１５】
【図１】第一参考例に係るローラーリテーナの斜視図である。
【図２】第一参考例に係るローラーリテーナの構成例を示す図であり、（ａ）は一部平面図、（ｂ）は同図（ａ）のＡ−Ａ断面図、（ｃ）は同図（ｂ）のＢ−Ｂ断面図、（ｄ）は同図（ｂ）のＣ−Ｃ断面図である。
【図３】第二参考例に係るローラーリテーナの斜視図である。
【図４】第二参考例に係るローラーリテーナの構成例を示す図であり、（ａ）は一部平面図、（ｂ）は同図（ａ）のＡ−Ａ断面図、（ｃ）は同図（ｂ）のＢ−Ｂ断面図、（ｄ）は同図（ｂ）のＣ−Ｃ断面図である。
【図５】本発明に係るローラーリテーナの斜視図である。
【図６】本発明に係るローラーリテーナの構成例を示す図であり、（ａ）は一部平面図、（ｂ）は同図（ａ）のＡ−Ａ断面図、（ｃ）は同図（ｂ）のＢ−Ｂ断面図、（ｄ）は同図（ｂ）のＣ−Ｃ断面図である。
【図７】第三参考例に係るローラーリテーナの斜視図である。
【図８】直線案内装置の構成例を示す図である。
【図９】直線案内装置の要部断面図である。
【図１０】直線案内装置の蓋体の模式図である。
【図１１】従来のローラーリテーナの斜視図を示す図である。
【発明を実施するための形態】
【００１６】
以下、本発明の実施の形態と参考例について、詳細に説明する。図１は第一参考例にかかるローラーリテーナの斜視図、図２（ａ）はこのローラーリテーナの一部平面図、図２（ｂ）は同図（ａ）のＡ−Ａ断面図、図２（ｃ）は同図（ｂ）のＢ−Ｂ断面図、図２（ｄ）は同図（ｂ）のＣ−Ｃ断面図である。なお、第一参考例にかかるローラーリテーナを用いた案内装置は、図７及び図８に示す直線案内装置と基本的構成が同一なのでその説明は省略する。
【００１７】
本ローラーリテーナ１−１が、図１０に示す従来のローラーリテーナ４０と相違する点は、スペーサ２のローラー３と摺接する面にグリース等の潤滑剤が保持される潤滑剤溜り４を設けたことである。該潤滑剤溜り４は、スペーサ２のローラー３と摺接する面の略中央部に一定の幅で溝状に凹部を設けることで構成されている。なお、５は各スペーサ２を連結する連結部である。
【００１８】
蓋体３０（図１０参照）の潤滑剤供給口３１より潤滑経路３３を通り方向転換路３２内に供給された潤滑剤は、各スペーサ２のローラー３と摺接する両面に設けられた潤滑剤溜り４に留まる。該潤滑剤溜り４に留まった潤滑剤は、ローラー３がスライド部材２０の無限循環路内を循環すると徐々にローラー３に付着し、長期にわたり潤滑を維持できることとなり、潤滑剤の供給及びメンテナンスを軽減できる。
【００１９】
図３は、第二参考例にかかるローラーリテーナ１−２の斜視図、図４（ａ）はこのローラーリテーナの一部平面図、図４（ｂ）は同図（ａ）のＡ−Ａ断面図、図４（ｃ）は同図（ｂ）のＢ−Ｂ断面図、図４（ｄ）は同図（ｂ）のＣ−Ｃ断面図である。本ローラーリテーナ１−２が、上記ローラーリテーナ１−１と相違する点は、スペーサ２のローラー３と摺接しない面、即ちスペーサ２の上面及び下面に潤滑剤が保持される潤滑剤溜り６を設けたことである。該潤滑剤溜り６は、スペーサ２の上面及び下面の略中央に一定の幅で溝状に凹部を設けることで構成されている。
【００２０】
蓋体３０（図１０参照）の潤滑剤補給口３１より潤滑経路３３を通り方向転換路３２内に供給された潤滑剤は、各スペーサ２の上面及び下面に設けられた潤滑剤溜り６に留まる。該潤滑剤溜り６に留まった潤滑剤は、ローラー３がスライド部材２０の無限循環路内を循環すると徐々にローラー３に付着し、長期にわたり潤滑を維持できることとなり、潤滑剤の供給及びメンテナンスを軽減できる。
【００２１】
図５は、本発明にかかるローラーリテーナ１−３の斜視図、図６（ａ）はこのローラーリテーナの一部平面図、図６（ｂ）は同図（ａ）のＡ−Ａ断面図、図６（ｃ）は同図（ｂ）のＢ−Ｂ断面図、図６（ｄ）は同図（ｂ）のＣ−Ｃ断面図である。本ローラーリテーナ１−３が、上記ローラーリテーナ１−１、１−２と相違する点は、スペーサ２のローラー３と摺接する面及び摺接しない面の両方に潤滑剤が保持される潤滑剤溜り７を設けたことである。該潤滑剤溜り７は、スペーサ２のローラー３と摺接する面及びスペーサ２の上面及び下面の略中央に一定の幅で溝状に凹部を設け、これを連通させることで構成されている。
【００２２】
蓋体３０（図１０参照）の潤滑剤補給口３１より潤滑経路３３を通り方向転換路３２内に供給された潤滑剤は、各スペーサ２のローラー３と摺接する両面及び該スペーサ２の上面及び下面に設けられた潤滑剤溜り７に留まる。該潤滑剤溜り７に留まった潤滑剤は、ローラー３がスライド部材２０の無限循環路内を循環すると徐々にローラー３に付着し、長期にわたり潤滑を維持できることとなり、潤滑剤の供給及びメンテナンスを軽減できる。また、上記潤滑剤溜り７は、各面に設けられた凹部が互いに連通しているため、より多くの潤滑剤を保持することができる。
【００２３】
なお、上記実施形態例では、各スペーサ２はローラー３を抱持する形状であるが、図７に示す第三参考例のスペーサ８はローラー３を抱持しないで整列される板状のスペーサである。
【００２４】
また、各スペーサ２が連結部５により相互に連結された状態で該スペーサ２、２の間にローラー３が転動可能に挿入されている例を示したが、本発明はこれに限定されるものではなく、スペーサ２のローラー３と摺接する面又は／及び摺接しない面に潤滑剤が保持される潤滑剤溜りを設けた各スペーサ２が連結部５により連結されていない構成のローラーリテーナであっても良い。なお、上記ローラーリテーナのスペーサ２において、スライド部材２０のローラーリテーナ保持部材２３、２４内に設けられた案内溝２７内を移動するための案内板を設けても良い。
【産業上の利用可能性】
【００２５】
本発明は、複数のスペーサはスペーサとスペーサの間にローラーが介在する所定の間隔で両端部が連結部材で連結され、各スペーサは該連結部材を挟んで両側対称に構成されており、スペーサのローラーに対向する面はローラー表面と略同曲率の円弧面であり、スペーサ前後のローラーに摺接する両面の略中央位置と、スペーサのローラーに摺接しない上面及び下面の略中央位置の全てに、凹溝状の潤滑剤溜りを設けてこれら各潤滑剤溜りを互いに連通させたので、スペーサとスペーサの間隔が一定となり、潤滑剤溜り内に潤滑剤を保持した状態で案内装置の無限循環路内を循環でき、潤滑剤溜りからローラーとスペーサの間の微小で均一間隙に長期間に亘って効果的に潤滑剤を供給できるから、潤滑剤の供給及びメンテナンスを更に軽減できる案内装置用ローラーリテーナとして利用することができる。
【符号の説明】
【００２６】
１−１〜４  ローラーリテーナ
２          スペーサ
３          ローラー
４          潤滑剤溜り
５          連結部
６          潤滑剤溜り
７          潤滑剤溜り
８          スペーサ
１０        軌道軸
２０        スライド部材
３０        蓋体
４０        ローラーリテーナ
５０        ローラー
【図１】
0005255104.tif 000002
【図２】
0005255104.tif 000003
【図３】
0005255104.tif 000004
【図４】
0005255104.tif 000005
【図５】
0005255104.tif 000006
【図６】
0005255104.tif 000007
【図７】
0005255104.tif 000008
【図８】
0005255104.tif 000009
【図９】
0005255104.tif 000010
【図１０】
0005255104.tif 000011
【図１１】
0005255104.tif 000012